(57)【要約】【課題】自動車の日常点検を自動で行うことで、自動車を安心して利用可能とする自動日常点検システムを提供する。【解決手段】自動車の日常点検を自動で行う自動日常点検システムは、自動車に搭載される自動日常点検装置１０を備える。自動日常点検装置１０は、自動車の日常点検を所定のタイミングで行い、その自動車を管理する管理者６０、７０、８０が有する送受信器に日常点検の診断結果を送信する。【選択図】図２
2020030075.tif 000002
【特許請求の範囲】
【請求項１】
自動車の日常点検を自動で行う自動日常点検システムにおいて、
前記自動車に搭載され、前記自動車の日常点検を所定のタイミングで行い、前記自動車を管理する管理者（６０、７０、８０）が有する送受信器に日常点検の診断結果を送信する自動日常点検装置（１０）を備える自動日常点検システム。
【請求項２】
前記自動日常点検装置は、自動運転車（１）に搭載され、自動運転を実行する自動運転システムを含む機器に関する日常点検を自動で行うものである、請求項１に記載の自動日常点検システム。
【請求項３】
前記自動車がカーシェアリングビジネスまたは自動レンタルビジネスに利用される場合、前記自動日常点検装置が日常点検を行う所定のタイミングは、前記自動車の利用者（８０）が変更されたタイミング、または前記利用者による利用が終了したタイミングである、請求項１または２に記載の自動日常点検システム。
【請求項４】
前記自動日常点検装置が日常点検を行う所定のタイミングは、前記自動車の走行スイッチがオンまたはオフされたタイミングである、請求項１または２に記載の自動日常点検システム。
【請求項５】
前記自動日常点検装置が日常点検を行う所定のタイミングは、前回の日常点検から所定の時間が経過したタイミングである、請求項１または２に記載の自動日常点検システム。
【請求項６】
前記自動日常点検装置が日常点検を行う所定のタイミングは、前記自動車の走行に必要なエネルギーが補給されるタイミングである、請求項１または２に記載の自動日常点検システム。
【請求項７】
前記自動日常点検装置が日常点検を行う対象は、自動運転車の自動運転に用いられる機器のうち、走行中に点検困難であり、且つ、停車中に点検可能な機器を含んでいる、請求項２ないし６のいずれか１つに記載の自動日常点検システム。
【請求項８】
前記自動日常点検装置が日常点検を行う対象は、自動運転車の自動運転に用いられる自動走行用カメラ（２１）、自動走行用レーダ、操舵装置（２２）のうち少なくとも１つを含んでいる、請求項２ないし７のいずれか１つに記載の自動日常点検システム。
【請求項９】
前記自動日常点検装置が診断結果を送信する前記管理者は、前記自動車のカーシェアリングビジネスまたは自動レンタルビジネスを行う事業主（７０）、前記自動車の利用者、または、前記自動車を管理する中央管理センター（６０）である、請求項１ないし８のいずれか１つに記載の自動日常点検システム。
【請求項１０】
前記自動日常点検装置は、診断結果の全てを前記中央管理センターに送信し、
診断結果のうち異常判定を前記事業主または前記利用者に送信する、請求項９に記載の自動日常点検システム。
【請求項１１】
前記中央管理センターは、前記自動日常点検装置から受信した日常点検の診断結果に基づき、前記自動車に異常があると判断された場合、その診断結果を前記事業主または前記利用者が有する送受信器（９０）に送信する、請求項９または１０に記載の自動日常点検システム。
【請求項１２】
前記自動日常点検装置は、日常点検の診断結果を前記自動車に搭載される車内モニタ（５０）に表示する、請求項１ないし１１のいずれか１つに記載の自動日常点検システム。
【発明の詳細な説明】
【技術分野】
【０００１】
本発明は、自動車の日常点検を自動で行う自動日常点検システムに関するものである。
【背景技術】
【０００２】
近年、自動運転車の開発が進められている。自動運転車は、カーシェアリングビジネスまたは自動レンタルビジネス（以下、カーシェアビジネス等という）などに利用されることが想定される。また、自動運転車は、目的地まで自動で走行可能であることから、将来、運転免許を有していない者（以下「所有者」という）に利用されることも想定される。
【０００３】
自動運転車がカーシェアビジネス等に利用される場合、利用者による車両の利用期間が長期間継続すると、事業主がいる場所での車両の駐車期間が短くなることが考えられる。そうした場合、自動運転車の利用者が変わるごとに、自動運転車の日常点検を事業主が行うことは困難である。また、カーシェアビジネス等の利用者は、日常点検に不慣れな者もいることが考えられるので、全ての利用者に日常点検の義務を課すことも困難である。したがって、カーシェアビジネス等のような従来とは違う使われ方をする自動運転車に対する日常点検について問題が生じる。
【０００４】
また、自動運転車が運転免許を有していない所有者に利用される場合、その所有者は自動運転車の日常点検に不慣れなことが想定される。その場合も、従来の人が行う日常点検では、自動運転車の安全確認が不十分になることが考えられる。こうしたことは、特に、自動運転車の走る、曲がる、止まることに影響する自動運転システムに関する日常点検ついて、大きな問題となると考えられる。
【０００５】
自動運転車の走行中に事故や故障が生じた場合、そのことが日常点検の不足により生じたものか否かは、カーシェアビジネス等の事業主および利用者、または車両の所有者、さらにはそれらの者と保険契約をしている保険会社等にも重要なことである。
【０００６】
ところで、特許文献１には、車両に搭載される電子制御装置の故障診断を行う車両用故障診断装置が記載されている。この車両用故障診断装置は、ディーラーのサービスステーション等において使用され、車両の電子制御装置に接続した状態で車両のロードテストを行うことで、その電子制御装置に関するデータを収集することが可能である。
【先行技術文献】
【特許文献】
【０００７】
【特許文献１】特開平８−１６６３２８号公報
【発明の概要】
【発明が解決しようとする課題】
【０００８】
しかしながら、特許文献１に記載の車両用故障診断装置は、ディーラーのサービスステーション等において使用されるものであり、使用する際には専門的知識が必要であり、車両のロードテストも必要である。そのため、特許文献１に記載の装置は、カーシェアビジネス等の事業主および利用者、または運転免許を有していない所有者などが、自動運転車の日常点検に用いることは困難である。また、特許文献１の装置は、自動運転車の走行中に事故や故障が生じた場合、そのことが日常点検の不足により生じたものか否かを判定することに用いることは困難である。
【０００９】
本発明は上記課題に鑑みて、自動車の日常点検を自動で行うことで、自動車を安心して利用可能とする自動日常点検システムを提供することを目的とする。
【課題を解決するための手段】
【００１０】
上記目的を達成するため、請求項１に係る発明は、自動車の日常点検を自動で行う自動日常点検システムである。自動日常点検システムは、自動車に搭載される自動日常点検装置（１０）を備える。その自動日常点検装置は、自動車の日常点検を所定のタイミングで行い、自動車を管理する管理者（６０、７０、８０）が有する送受信器に日常点検の診断結果を送信する。
【００１１】
これによれば、自動日常点検装置により自動車の日常点検が所定のタイミングに自動で行われ、その診断結果が自動車を管理する管理者（例えば、自動車のカーシェアビジネス等を行う事業主、自動車の利用者、自動車の所有者、または、中央管理センター）に送信される。そのため、管理者が日常点検をすることが困難な場合でも、その管理者は自動で日常点検が行われた自動車を安心して利用することができる。例えば、自動車がカーシェアビジネス等に利用される場合、その事業主および利用者が自ら日常点検を行わなくとも、自動車の日常点検不足による事故や故障が防がれる。また、仮に、自動車の走行中に事故や故障が生じた場合、その事故や故障の原因として日常点検不足による要因が排除される。したがって、この自動日常点検システムは、自動車の管理者に加えて、その管理者と保険契約をしている保険会社等にも利用価値の高いものである。
【００１２】
なお、各構成要素等に付された括弧付きの参照符号は、その構成要素等と後述する実施形態に記載の具体的な構成要素等との対応関係の一例を示すものである。
【図面の簡単な説明】
【００１３】
【図１】第１実施形態に係る自動日常点検システムが搭載される自動運転車が備える各機能を示すブロック図である。
【図２】第１実施形態に係る自動日常点検システムの構成図である。
【図３】自動車の管理者に対する診断結果の通知内容の一例を示す図である。
【図４】自動車の車内モニタに表示される診断結果の通知内容の一例を示す図である。
【図５】第１実施形態の自動日常点検装置が行う制御処理のフローチャートである。
【図６】第１実施形態の自動車の管理者が行う処理のフローチャートである。
【図７】第２実施形態に係る自動日常点検システムが搭載される自動運転車が備える各機能を示すブロック図である。
【図８】第３実施形態の自動日常点検装置が行う制御処理のフローチャートである。
【図９】第４実施形態の自動日常点検装置が行う制御処理のフローチャートである。
【図１０】第５実施形態の自動日常点検装置が行う制御処理のフローチャートである。
【図１１】第６実施形態の自動日常点検装置が行う制御処理のフローチャートである。
【発明を実施するための形態】
【００１４】
以下、本発明の実施形態について図面を参照しつつ説明する。なお、以下の各実施形態相互において、互いに同一もしくは均等である部分には、同一符号を付し、その説明を省略する。
【００１５】
（第１実施形態）
第１実施形態について図面を参照しつつ説明する。本実施形態の自動日常点検システムは、自動運転車１の日常点検を自動で行うものである。自動運転車１は、加速、操舵、制動、および周囲の監視等、全ての運転操作を自動運転システムが行う自動車である。
【００１６】
本実施形態では、自動日常点検システムが日常点検を自動で行う自動運転車１は、カーシェアリングビジネスまたは自動レンタルビジネス（以下、カーシェアビジネス等という）に利用されるものとして説明する。但し、自動運転車１は、カーシェアビジネス等に利用されるものに限らず、運転免許を有している所有者、または、運転免許を有していない所有者に利用されるものであってもよい。なお、以下の説明では、自動運転車１のカーシェアビジネス等を行う事業主、自動運転車１の利用者、自動運転車１の所有者、および、自動運転車１を管理する中央管理センターを、「管理者」ということがある。
【００１７】
まず、自動運転車１が備える各機能について、図１および図２を参照して説明する。自動運転車１には、走行用機能２、空調用機能３、アクセサリ機能４、サービス用機能５、自動日常点検機能６など、種々の機能が搭載されている。
【００１８】
走行用機能２は、自動運転車１の自動走行に用いられる機能である。具体的には、走行用機能２は、自動走行用カメラ２１、自動走行用レーダ（例えばレーザレーダ）、操舵装置２２、走行用モータまたはエンジンなどを含んで構成されている。
【００１９】
空調用機能３は、車室内の空調を行う機能である。具体的には、空調用機能３は、ＨＶＡＣ（Heating Ventilation and Air-Conditioningの略）、冷凍サイクルまたはヒートポンプサイクル等を含んで構成されている。また、空調用機能３は、車内の空調状態などを表示する空調用モニタを備えていてもよい。
【００２０】
アクセサリ機能４は、オーディオ機器、ナビゲーションシステムなどを含んで構成されている。サービス用機能５は、ディーラーのサービスステーション等において使用されるダイアグノーシスなどを含んで構成されている。
【００２１】
自動日常点検機能６は、自動運転車１の日常点検を自動で行う機能である。具体的には、自動日常点検機能６は、自動運転車１の日常点検を所定のタイミングで行う自動日常点検装置１０を含んで構成されている。
【００２２】
図２に示すように、自動日常点検装置１０は、自動走行用カメラ２１、操舵装置２２、空調装置３０、各種センサ４０などと、例えばＣＡＮ（Controller Area Networkの略）通信などによる車内ＬＡＮ（Local Area Networkの略）を通じて接続されている。これにより、自動日常点検装置１０は、それらの機器の日常点検を行うことが可能である。
【００２３】
自動日常点検装置１０が日常点検を行う対象は、自動運転を実行する自動運転システムを含む機器を含んでいる。なお、自動日常点検装置１０が自動走行用カメラ２１の撮像範囲の日常点検を行う場合、自動走行用カメラ２１を動作させ、その自動走行用カメラ２１が全ての可動範囲を撮像可能か否かを点検する。また、自動日常点検装置１０が操舵装置２２の動作範囲の日常点検を行う場合、操舵装置２２を動作させ、その操舵装置２２が全ての可動範囲を動作可能か否かを点検する。したがって、自動日常点検装置１０が日常点検を行う対象は、自動運転を実行する機器のうち、走行中に点検困難であり、且つ、停車中に点検可能な機器を含んでいる。
【００２４】
自動日常点検装置１０は、日常点検の診断結果を、車内ＬＡＮを通じて、自動運転車１に搭載される車内モニタ５０に表示する。また、自動日常点検装置１０は、日常点検の診断結果を、インターネットなどを通じて、自動運転車１の管理者が有する送受信器に送信する。自動運転車１の管理者として、自動運転車１を管理する中央管理センター６０、カーシェアビジネス等の事業主７０および利用者８０などが含まれる。なお、カーシェアビジネス等の利用者８０は、自動運転車１のオーナーとなる場合がある。
【００２５】
また、自動運転車１の管理者が、日常点検の診断結果を受信する送受信器は、例えば、携帯端末、スマートフォン、パソコンなどである。図３は、自動運転車１の管理者が有する送受信器９０の画面に表示される診断結果の通知内容の一例を示したものである。この例では、自動走行用カメラ２１、操舵装置２２、空調装置３０、各種センサ４０がそれぞれ、正常または異常であるかが示されている。
【００２６】
図４は、自動運転車１の車内モニタ５０に表示される診断結果の通知内容の一例を示したものである。この例では、自動走行用カメラ２１が正常であると共に、その範囲表示が示されている。また、操舵装置２２が正常であると共に、その動作範囲が示されている。空調装置３０が正常であると共に、異常がないことが示されている。各種センサ４０が正常であると共に、その範囲表示が示されている。なお、診断結果の通知内容は、正常、異常の判定のみでもよいし、経年劣化や汚れ等による精度低下が判るように数値や色などによる表示をしてもよく、または、交換のタイミングを表示してもよい。また、診断結果の通知内容は、音声によるものであってもよい。
【００２７】
次に、第１実施形態の自動日常点検装置１０が行う制御処理について、図５のフローチャートを参照して説明する。なお、以下の説明では、自動日常点検装置１０を、単に「点検装置１０」ということがある。
【００２８】
まず、ステップＳ１０で点検装置１０は、自動運転車１に入力されるカーシェアリングの利用者情報を取得する。
【００２９】
ステップＳ２０で点検装置１０は、自動運転車１に入力された利用者情報と、直前の利用者情報とを比較し、利用者８０が変更されたか否かを判定する。利用者８０が変更されていないことが判定された場合（すなわち、ステップＳ２０の判定Ｎｏ）、処理は終了する。一方、利用者８０が変更されたことが判定された場合（すなわち、ステップＳ２０の判定Ｙｅｓ）、処理はステップＳ３０に移行する。
【００３０】
ステップＳ３０で点検装置１０は、自動運転車１が備える各機能および機器に対する日常点検を行う。この日常点検は、自動運転車１が停車中に行われる。
次に、ステップＳ４０で点検装置１０は、日常点検の診断結果を、自動運転車１を管理する中央管理センター６０に通知する。すなわち、点検装置１０は、日常点検の全ての診断結果を中央管理センター６０へ送信する。そして、中央管理センター６０は、日常点検の全ての診断結果を受信する。
【００３１】
続いて、ステップＳ５０で点検装置１０は、日常点検の診断結果に異常があるか否かを判定する。点検装置１０は、日常点検の診断結果に異常があることを判定した場合（すなわち、ステップＳ５０の判定Ｙｅｓ）、処理をステップＳ６０に移行する。
【００３２】
ステップＳ６０で点検装置１０は、日常点検の診断結果に異常があることを、カーシェアビジネス等の事業主７０および利用者８０が有する送受信機に送信する。そして、事業主７０および利用者８０は、日常点検の診断結果に異常があることを受信する。なお、事業主７０および利用者８０は、この時点で自動運転車１の日常点検の診断結果に異常があることが判れば、別の自動車の利用予約などを行うことができる。
【００３３】
一方、ステップＳ５０で点検装置１０は、日常点検の診断結果に異常が無いことを判定した場合（すなわち、ステップＳ５０の判定Ｎｏ）、処理をステップＳ７０に移行する。そして、ステップＳ７０で、自動運転車１の利用が開始される。
次に、ステップＳ８０で点検装置１０は、自動運転車１の利用が終了したか否かを判定する。点検装置１０は、自動運転車１の利用が終了したことを判定した場合（すなわち、ステップＳ８０の判定Ｙｅｓ）、処理をステップＳ９０に移行する。
【００３４】
ステップＳ９０、Ｓ１００、Ｓ１１０の処理は、上述したステップＳ３０、Ｓ４０、Ｓ５０の処理と実質的に同一である。すなわち、ステップＳ９０で点検装置１０は、自動運転車１が備える各機能および機器に対する日常点検を行う。次に、ステップＳ１００で点検装置１０は、日常点検の診断結果を、自動運転車１を管理する中央管理センター６０に通知する。
【００３５】
続いて、ステップＳ１１０で点検装置１０は、日常点検の診断結果に異常があるか否かを判定する。点検装置１０は、日常点検の診断結果に異常があることを判定した場合（すなわち、ステップＳ１１０の判定Ｙｅｓ）、処理をステップＳ６０に移行する。ステップＳ６０で点検装置１０は、日常点検の診断結果に異常があることを、カーシェアビジネス等の事業主７０および利用者８０が有する送受信機に送信する。そして、事業主７０および利用者８０は、日常点検の診断結果に異常があることを受信する。なお、事業主７０および利用者８０は、この時点で自動運転車１の日常点検の診断結果に異常があることが判れば、自動運転車１の修理などの手配を行うことができる。
【００３６】
一方、ステップＳ１１０で点検装置１０は、日常点検の診断結果に異常が無いことを判定した場合（すなわち、ステップＳ１１０の判定Ｎｏ）、処理を終了する。
【００３７】
続いて、自動車運転の管理者（すなわち、中央管理センター６０、カーシェアビジネス等の事業主７０および利用者８０）が行う処理について、図６のフローチャートを参照して説明する。
【００３８】
まず、ステップＳ２１０で中央管理センター６０は、点検装置１０から送信される日常点検の診断結果を受信する。次に、ステップＳ２２０で中央管理センター６０は、その受信した診断結果を分析する。続いて、ステップＳ２３０で中央管理センター６０は、自動運転車１の各機能および機器に異常があるか否かを判定する。自動運転車１の各機能および機器に異常が無いと判定された場合（すなわち、ステップＳ２３０の判定Ｎｏ）、処理は終了する。
【００３９】
一方、ステップＳ２３０で、自動運転車１の各機能および機器に異常が有ると判定された場合（すなわち、ステップＳ２３０の判定Ｙｅｓ）、処理はステップＳ２４０に移行する。ステップＳ２４０で中央管理センター６０は、自動運転車１の各機能および機器に異常が有るという情報を、カーシェアビジネス等の事業主７０および利用者８０に通知する。具体的には、中央管理センター６０は、その情報を、事業主７０または利用者８０が有する送受信器９０に送信する。
【００４０】
続いて、ステップＳ２５０でカーシェアビジネス等の事業主７０および利用者８０は、自動運転車１の修理を修理会社に依頼する必要が有るか否かを判断する。自動運転車１の修理を修理会社に依頼しない場合（すなわち、ステップＳ２５０の判定Ｎｏ）、処理は終了する。一方、自動運転車１の修理を修理会社に依頼する場合（すなわち、ステップＳ２５０の判定Ｙｅｓ）、処理はステップＳ２６０に移行する。
【００４１】
ステップＳ２６０で自動運転車１が自動走行可能であるか否かを判断する。自動運転車１が自動走行可能であると判断された場合（すなわち、ステップＳ２６０の判定Ｙｅｓ）、自動運転車１は自動運転により修理会社へ走行する。そして、ステップＳ２７０で、修理会社で自動運転車１の修理が行われ、処理は終了する。
【００４２】
一方、ステップＳ２６０で、自動運転車１が自動走行不能であると判断された場合（すなわち、ステップＳ２６０の判定Ｎｏ）、処理はステップＳ２８０に移行する。ステップＳ２８０でレッカーが手配され、自動運転車１は修理会社へレッカーにより運ばれる。続いて、ステップＳ２９０で、修理会社で自動運転車１の修理が行われ、処理は終了する。
【００４３】
なお、カーシェアビジネス等の事業主７０および利用者８０は、自分で自動運転車１を取りに行ってもよいし、修理会社ではなく、自分の下に戻ってきてから修理有無を行ってもよい。
【００４４】
以上説明した第１実施形態の自動日常点検システムは、次の作用効果を奏するものである。
（１）第１実施形態の自動日常点検システムが備える自動日常点検装置１０は、自動運転車１の日常点検を所定のタイミングで行い、その自動運転車１の管理者が有する送受信器に日常点検の診断結果を送信する。これによれば、自動運転車１の管理者は、日常点検が行われた自動運転車１を安心して利用することができる。例えば、自動運転車１がカーシェアビジネス等に利用される場合、その事業主７０および利用者８０が自ら日常点検を行わなくとも、自動運転車１の日常点検不足による事故や故障が防がれる。また、事業主７０やオーナーは車両状況を確認、点検した状態で貸与でき、万一の場合の訴訟、補償、保険にも備えることが可能である。すなわち、仮に、自動運転車１の走行中に事故や故障が生じた場合、その事故や故障の原因として日常点検不足による要因が排除される。したがって、この自動日常点検システムは、自動運転車１の管理者に加えて、自動運転車１の管理者と保険契約をしている保険会社等にも利用価値の高いものである。
【００４５】
（２）第１実施形態では、自動日常点検装置１０は、自動運転を実行する自動運転システムを含む機器に関する日常点検を自動で行うものである。ところで、自動運転車１の加速、操舵、制動に影響する機器に関する日常点検は、従来の人が行う日常点検では、安全確認が不十分になることが考えられる。これに関し、自動日常点検装置１０は、自動運転に用いられる機器を含めて日常点検を自動で行い、その診断結果を、自動運転車１を管理する管理者に送信する。したがって、その自動運転車１の管理者は、日常点検が行われた自動運転車１を安心して利用することができる。
【００４６】
（３）第１実施形態では、自動運転車１がカーシェアビジネス等に利用される場合、自動日常点検装置１０が日常点検を行う所定のタイミングは、自動運転車１の利用者８０が変更されたタイミング、または利用者８０による利用が終了したタイミングである。
これによれば、自動運転車１がカーシェアビジネス等に利用される場合、利用者８０が通信などにより自動運転車１を自動走行で呼び寄せた後にその自動運転車１が日常点検不足により利用できないといった事態を回避することができる。
【００４７】
また、日常点検で異常判定がされた場合、どの利用者８０の利用中に異常が生じたのかが明確になる。さらに、自動運転車１がカーシェアビジネス等に利用され、走行中に事故や故障が生じた場合でも、その事故や故障の原因として事業主７０および利用者８０の日常点検不足による要因が排除される。したがって、この自動日常点検システムは、自動運転車１の管理者に加えて、自動運転車１の管理者と保険契約をしている保険会社等にも利用価値の高いものである。
【００４８】
（４）第１実施形態では、自動日常点検装置１０が日常点検を行う対象は、自動運転車１の自動運転に用いられる機器のうち、走行中に点検困難であり、且つ、停車中に点検可能な機器を含んでいる
これによれば、自動運転車１の自動運転に用いられる機器について、自動運転車１の停車中に日常点検を行うことで、管理者は安心して自動運転車１を利用することができる。
【００４９】
（５）第１実施形態では、自動日常点検装置１０が日常点検を行う対象は、自動運転車１の自動運転に用いられる自動走行用カメラ２１、自動走行用レーダ、操舵装置２２のうち少なくとも１つを含んでいる。
これによれば、自動運転車１の自動運転に用いられる重要な機器に関し、自動運転車１の走行に支障をきたすことなく日常点検を行うことで、管理者は安心して自動運転車１を利用することができる。
【００５０】
（６）第１実施形態では、自動日常点検装置１０が診断結果を送信する管理者は、自動運転車１のカーシェアビジネス等を行う事業主７０、自動運転車１の利用者８０、または、中央管理センター６０である。
これによれば、自動運転車１がカーシェアビジネス等に利用された場合、その事業に関わる管理者は、日常点検が行われた自動運転車１を安心して利用することができる。
【００５１】
（７）第１実施形態では、自動日常点検装置１０は、診断結果の全てを中央管理センター６０に送信し、診断結果のうち異常判定を自動運転車１のカーシェアビジネス等を行う事業主７０または利用者８０に送信する。
これによれば、中央管理センター６０は、自動運転車１の日常点検の全ての診断結果を把握可能であるので、自動運転車１の安全性をより高めることができる。また、事業主７０および利用者８０は、自動運転車１の日常点検の異常判定を受信したときは、その自動運転車１の利用を避けて、別の自動運転車１を利用することができる。また、自動運転車１の日常点検に異常判定がある場合、管理者はそれに速やかに対処することができる。
【００５２】
（８）第１実施形態では、中央管理センター６０は、自動日常点検装置１０から受信した日常点検の診断結果に基づき、自動運転車１に異常があると判断された場合、その診断結果を自動運転車１のカーシェアビジネス等を行う事業主７０または利用者８０が有する送受信器９０に送信する。
これによれば、事業主７０および利用者８０は、日常点検の診断結果に応じて、自動運転車１の修理などの手配を行うことができる。
【００５３】
（９）第１実施形態では、自動日常点検装置１０は、日常点検の診断結果を自動運転車１に搭載される車内モニタ５０に表示する。
これによれば、自動運転車１の管理者は、自動運転車１に搭載される車内モニタ５０を直接見ることによっても、日常点検の診断結果を知ることができる。
【００５４】
（第２実施形態）
第２実施形態について説明する。第２実施形態は、第１実施形態に対して自動運転車１の構成の一部を変更したものであり、その他については第１実施形態と同様であるため、第１実施形態と異なる部分についてのみ説明する。
【００５５】
図７に示すように、第２実施形態においても、自動運転車１には、種々の機能が搭載されている。そのうち、自動点検機能６１は、自動常時点検と自動日常点検のように複数から構成されていても良い。自動常時点検とは、自動運転車１の走行中に自動で行われる点検をいう。一方、自動日常点検とは、自動運転車１の走行中に点検できない点検項目について、自動運転車１の停車中に自動で行われる点検をいう。
【００５６】
自動日常点検装置１０は、自動運転車１の常時点検と日常点検を自動で行い、その診断結果を自動運転車１の管理者に通知する。これによれば、自動運転車１の管理者は安心して自動運転車１を利用することができる。したがって、第２実施形態も、上述した第１実施形態と同様の作用効果を奏することができる。
【００５７】
（第３〜第６実施形態）
第３〜第６実施形態について説明する。第３〜第６実施形態は、第１実施形態等に対して自動日常点検装置１０が自動運転車１の日常点検を行うタイミングを変更したものであり、その他については第１実施形態等と同様である。そのため、第３〜第６実施形態は、第１実施形態等と異なる部分についてのみ説明する。なお、以下の説明でも、自動日常点検装置１０を、単に「点検装置１０」ということがある。
【００５８】
（第３実施形態）
第３実施形態の点検装置１０が行う制御処理を、図８のフローチャートを参照して説明する。
第３実施形態では、第１実施形態で説明したステップＳ１０とステップＳ２０の処理が廃止されている。
【００５９】
第３実施形態では、まずステップＳ３０で点検装置１０は、自動運転車１の走行スイッチがオンされると、自動運転車１が備える各機能および機器に対する日常点検を行う。この日常点検は、自動運転車１が停車中に行われる。その後、ステップＳ４０〜ステップＳ７０までの処理は、第１実施形態で説明した処理と同一である。
【００６０】
ステップＳ８０で点検装置１０は、自動運転車１の利用が終了したか否か、すなわち、自動運転車１の走行スイッチがオフされたか否かを判定する。この処理は、自動運転車１の走行スイッチがオフされるまで継続して行われる。自動運転車１の走行スイッチがオフされたことが判定された場合（すなわち、ステップＳ８０の判定Ｙｅｓ）、処理はステップＳ９０に移行し、日常点検が行われる。その後、ステップＳ９０〜ステップＳ１１０の処理も、第１実施形態で説明した処理と同一である。
【００６１】
以上説明した第３実施形態では、点検装置１０が日常点検を行う所定のタイミングは、自動運転車１の走行スイッチがオンまたはオフされたタイミングである。
これによれば、自動運転車１の走行直前に日常点検が行われるため、管理者は安心して自動運転車１を利用することができる。また、自動運転車１の走行直後にも日常点検が行われるため、管理者はその直前の走行中に異常が生じたか否かを把握することができる。そして、車両の走行後の日常点検で異常判定がされた場合、管理者は次回の走行までに車両の修理を行うことも可能である。
【００６２】
（第４実施形態）
第４実施形態の点検装置１０が行う制御処理を、図９のフローチャートを参照して説明する。
第４実施形態では、第１実施形態で説明したステップＳ１０とステップＳ２０の処理に代えて、ステップＳ１１とステップＳ２１の処理が組み込まれている。
【００６３】
第４実施形態では、ステップＳ１１で点検装置１０は、現在の時間を取得する。そしてステップＳ２１で点検装置１０は、現在の時間が、所定時間であるか否かを判定する。所定時間とは、前回の日常点検から所定の時間が経過した時間である。現在の時間が、所定時間となったことが判定された場合（すなわち、ステップＳ２１の判定Ｙｅｓ）、処理はステップＳ３０に移行し、日常点検が行われる。その後、ステップＳ３０〜ステップＳ６０の処理は、第１実施形態で説明した処理と同一である。なお、第４実施形態では、第１実施形態で説明したステップＳ７０〜ステップＳ１１０の処理は廃止されている。
【００６４】
以上説明した第４実施形態では、自動日常点検装置１０が日常点検を行う所定のタイミングは、前回の日常点検から所定の時間が経過したタイミングである。
これによれば、自動日常点検装置１０は、自動運転車１の日常点検を所定の時間間隔で定期的に行うことが可能である。
【００６５】
（第５実施形態）
第５実施形態の点検装置１０が行う制御処理を、図１０のフローチャートを参照して説明する。
第５実施形態では、第１実施形態で説明したステップＳ１０とステップＳ２０の処理に代えて、ステップＳ２２の処理が組み込まれている。
【００６６】
第５実施形態では、ステップＳ２２で点検装置１０は、自動運転車１に対し、走行に必要なエネルギー（例えば、電気、水素、ガソリン）が補給されているか否かを判定する。自動運転車１に対しエネルギーが補給されていることが判定された場合（すなわち、ステップＳ２２の判定Ｙｅｓ）、処理はステップＳ３０に移行し、日常点検が行われる。その後、ステップＳ３０〜ステップＳ６０の処理は、第１実施形態で説明した処理と同一である。なお、第５実施形態でも、第１実施形態で説明したステップＳ７０〜ステップＳ１１０の処理は廃止されている。
【００６７】
以上説明した第５実施形態では、自動日常点検装置１０が日常点検を行う所定のタイミングは、自動運転車１の走行に必要なエネルギーが補給されるタイミングである。
これによれば、自動日常点検装置１０は、自動運転車１の一定の走行距離以内で日常点検を行うことが可能である。また、一般に、自動運転車１にエネルギーを補給しているときは、自動運転車１は停車している。そのため、自動日常点検装置１０は、自動運転車１の走行中に点検できない点検項目について、自動運転車１の停車中に日常点検を行うことができる。
【００６８】
（第６実施形態）
第６実施形態の点検装置１０が行う制御処理を、図１１のフローチャートを参照して説明する。
第６実施形態では、第１実施形態で説明したステップＳ１０とステップＳ２０の処理に代えて、ステップＳ１３とステップＳ２３の処理が組み込まれている。
【００６９】
第６実施形態では、ステップＳ１３で点検装置１０は、現在の走行距離を取得する。所定距離とは、前回の日常点検から一定の距離が加算された距離である。そしてステップＳ２３で点検装置１０は、現在の走行距離が、所定距離であるか否かを判定する。現在の走行距離が、所定距離となったことが判定された場合（すなわち、ステップＳ２３の判定Ｙｅｓ）、処理はステップＳ３０に移行し、日常点検が行われる。その後、ステップＳ３０〜ステップＳ６０の処理は、第１実施形態で説明した処理と同一である。なお、第６実施形態でも、第１実施形態で説明したステップＳ７０〜ステップＳ１１０の処理は廃止されている。
【００７０】
以上説明した第６実施形態では、自動日常点検装置１０が日常点検を行う所定のタイミングは、前回の日常点検から一定の距離を走行したタイミングである。これによれば、自動日常点検装置１０は、自動運転車１の一定の走行距離ごとに日常点検を行うことが可能である。
【００７１】
（他の実施形態）
本発明は上記した実施形態に限定されるものではなく、特許請求の範囲に記載した範囲内において適宜変更が可能である。また、上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の形状、位置関係等に言及するときは、特に明示した場合および原理的に特定の形状、位置関係等に限定される場合等を除き、その形状、位置関係等に限定されるものではない。
【００７２】
（１）上記各実施形態では、自動日常点検システムが日常点検を行う自動運転車１は、加速、操舵、制動、および周囲の監視等、全ての運転操作を自動運転システムが行うものとして説明したが、これに限るものではない。他の実施形態では、自動運転車１は、自動で走行する自動運転モードと、乗員の運転操作によって走行する手動運転モードとを切替え可能な自動車としてもよい。
【００７３】
また、他の実施形態では、自動運転車１は、予め定義された複数の自動運転度から選択された所定の自動運転度に対応した運転モードにより自動運転を実行可能な自動車としてもよい。その場合、自動運転システムは、種々のセンサの検出信号に基づき、周知の方法で自動運転度を切り替える。例えば、自動運転システムは、車両の周囲環境および乗員の操作に基づいて自動運転度を切り替える。なお、自動運転度とは、車両に搭載された自動運転システムに運転操作を依存する度合を示すものである。
【００７４】
（２）上記各実施形態では、自動日常点検システムは、自動運転車１の日常点検を行うものとして説明したが、これに限るものではない。他の実施形態では、自動日常点検システムは、乗員の運転操作によって走行する自動車の日常点検を行うものであってもよい。
【００７５】
（３）上記各実施形態では、自動日常点検システムは、自動運転車１が備える自動走行用カメラ２１、操舵装置２２、空調装置３０、各種センサ４０などの日常点検を行うものとして説明したが、これに限るものではない。他の実施形態では、自動日常点検システムは、例えば、自動運転車１のブレーキ液の量、冷却水の量、バッテリ液の量、ランプ類の点灯、タイヤの空気圧など、種々の一般的な日常点検項目を自動で点検してもよい。
【００７６】
（まとめ）
上述の実施形態の一部または全部で示された第１の観点によれば、自動車の日常点検を自動で行う自動日常点検システムは、自動車に搭載される自動日常点検装置を備える。その自動日常点検装置は、自動車の日常点検を所定のタイミングで行い、自動車を管理する管理者が有する送受信器に日常点検の診断結果を送信する。
【００７７】
第２の観点によれば、自動日常点検装置は、自動運転車に搭載され、自動運転を実行する自動運転システムを含む機器に関する日常点検を自動で行うものである。
ところで、自動運転車の走る、曲がる、止まることに影響する機器に関する日常点検は、従来の人が行う日常点検では、安全確認が不十分になることが考えられる。これに関し、自動日常点検装置は、自動運転に用いられる機器を含めて日常点検を自動で行い、その診断結果を、自動車を管理する管理者に送信する。したがって、例えば、自動運転車がカーシェアビジネス等に利用された場合や、免許を有していない所有者に利用される場合にも、その自動運転車の管理者は、日常点検が行われた自動運転車を安心して利用することができる。
【００７８】
第３の観点によれば、自動車がカーシェアリングビジネスまたは自動レンタルビジネスに利用される場合、自動日常点検装置が日常点検を行う所定のタイミングは、自動車の利用者が変更されたタイミング、または利用者による利用が終了したタイミングである。
これによれば、自動運転車がカーシェアビジネス等に利用される場合、利用者が通信などにより自動運転車を自動走行で呼び寄せた後にその自動運転車が日常点検不足により利用できないといった事態を回避することができる。
また、日常点検で異常判定がされた場合、どの利用者の利用中に異常が生じたのかが明確になる。さらに、事業主やオーナーは車両状況を確認、点検した状態で貸与でき、万一の場合の訴訟、補償、保険にも備えることが可能である。すなわち、仮に、走行中に事故や故障が生じた場合でも、その事故や故障の原因として事業主および利用者の日常点検不足による要因が排除される。したがって、この自動日常点検システムは、自動運転車の管理者に加えて、自動運転車の管理者と保険契約をしている保険会社等にも利用価値の高いものである。
【００７９】
第４の観点によれば、自動日常点検装置が日常点検を行う所定のタイミングは、自動車の走行スイッチがオンまたはオフされたタイミングである。
これによれば、自動車の走行スイッチがオンされたタイミングで日常点検が行われる場合、車両の走行直前に日常点検が行われるため、管理者は安心して自動車を利用することができる。
また、自動車の走行スイッチがオフされたタイミングで日常点検が行われる場合、車両の走行直後に日常点検が行われるため、管理者はその直前の走行中に異常が生じたか否かを把握することができる。そして、車両の走行後の日常点検で異常判定がされた場合、管理者は次回の走行までに車両の修理を行うことも可能である。
【００８０】
第５の観点によれば、自動日常点検装置が日常点検を行う所定のタイミングは、前回の日常点検から所定の時間が経過したタイミングである。
これによれば、自動日常点検装置は、自動車の日常点検を所定の時間間隔で定期的に行うことが可能である。
【００８１】
第６の観点によれば、自動日常点検装置が日常点検を行う所定のタイミングは、自動車の走行に必要なエネルギーが補給されるタイミングである。
これによれば、自動日常点検装置は、自動車の一定の走行距離以内で日常点検を行うことが可能である。また、一般に、自動車にエネルギーを補給しているときは、自動車は停車している。そのため、自動日常点検装置は、自動車の走行中に点検できない点検項目について、自動運転車の停車中に日常点検を行うことができる。
【００８２】
第７の観点によれば、自動日常点検装置が日常点検を行う対象は、自動運転車の自動運転に用いられる機器のうち、走行中に点検困難であり、且つ、停車中に点検可能な機器を含んでいる。
これによれば、自動運転車の自動運転に用いられる機器について、自動運転車の停車中に日常点検を行うことができる。
【００８３】
第８の観点によれば、自動日常点検装置が日常点検を行う対象は、自動運転車の自動運転に用いられる自動走行用カメラ、自動走行用レーダ、操舵装置のうち少なくとも１つを含んでいる。
これによれば、自動運転車の自動運転に用いられる重要な機器に関し、自動運転車の走行に支障をきたすことなく日常点検を行うことで、管理者は安心して自動運転車を利用することができる。
【００８４】
第９の観点によれば、自動日常点検装置が診断結果を送信する管理者は、自動車のカーシェアリングビジネスまたは自動レンタルビジネスを行う事業主、自動車の利用者、または、自動車を管理する中央管理センターである。
これによれば、自動車がカーシェアビジネス等に利用された場合、その事業に関わる管理者は安心して自動車を利用することができる。
【００８５】
第１０の観点によれば、自動日常点検装置は、診断結果の全てを中央管理センターに送信し、診断結果のうち異常判定を事業主または利用者に送信する。
これによれば、中央管理センターは、自動車の日常点検の全ての診断結果を把握可能であるので、自動運転車の安全性をより高めることができる。また、事業主および利用者は、自動車の日常点検の異常判定を受信したときは、その自動車の利用を避けて、別の自動車を利用することができる。
【００８６】
第１１の観点によれば、中央管理センターは、自動日常点検装置から受信した日常点検の診断結果に基づき、自動車に異常があると判断された場合、その診断結果を事業主または利用者が有する送受信器に送信する。
これによれば、事業主および利用者は、日常点検の診断結果に応じて、自動車の修理などの手配を行うことができる。
【００８７】
第１２の観点によれば、自動日常点検装置は、日常点検の診断結果を自動車に搭載される車内モニタに表示する。
これによれば、自動車の管理者は、自動車に搭載される車内モニタを直接見ることによっても、日常点検の診断結果を知ることができる。
【符号の説明】
【００８８】
１０  自動日常点検装置
６０  中央管理センター
７０  事業主
８０  利用者
【図１】
2020030075.tif 000003
【図２】
2020030075.tif 000004
【図３】
2020030075.tif 000005
【図４】
2020030075.tif 000006
【図５】
2020030075.tif 000007
【図６】
2020030075.tif 000008
【図７】
2020030075.tif 000009
【図８】
2020030075.tif 000010
【図９】
2020030075.tif 000011
【図１０】
2020030075.tif 000012
【図１１】
2020030075.tif 000013